(57)【要約】【課題】容器本体の口頸部に装着し、使用するために蓋部を開口したときに、必要数の物粒状内容物が指で摘み易い位置に計量されている計量部付キャップを提供する。【解決手段】容器本体２００の口頸部に装着するキャップ本体１１０と、該キャップ本体の上部を覆う蓋部１３０とからなるキャップ１００であって、前記キャップ本体は、周壁１１１と周縁の内側に隙間１１８を介して凹状計量収容部１１６を設けた天板１１３を有し、前記凹状計量収容部が、天板の略中央部に、接続リブ１１７を橋設して設けられ、前記蓋部に、凹状受け部１３２を設ける。【選択図】図１
2008062978.tif 000002
【特許請求の範囲】
【請求項１】
容器本体の口頸部に装着するキャップ本体と該キャップ本体の上部を覆う蓋部からなるキャップであって、                                                              
前記キャップ本体は、周壁と、周縁の内側に隙間を介して凹状計量収容部を設けた天板を有することを特徴とする計量部付キャップ。
【請求項２】
前記凹状計量収容部が、天板の略中央部に設けられていることを特徴とする請求項１記載の計量部付キャップ。
【請求項３】
前記凹状計量収容部が、接続リブを橋設して設けられていることを特徴とする請求項１または２記載の計量部付キャップ。
【請求項４】
前記蓋部が、凹状受け部を有することを特徴とする請求項１ないし３のいずれか１項に記載の計量部付キャップ。
【発明の詳細な説明】
【技術分野】
【０００１】
本発明は、粒状の内容物を収納する広口容器の容器本体の口頸部に装着し、使用するときに、所定数の粒状内容物が容易に取り出せる計量部付キャップに関するものである。
【背景技術】
【０００２】
従来、例えばガム、飴、錠剤などの粒状内容物は、一般的には、容器本体と蓋とからなる広口円筒状容器に収納されており、使用するときには、容器本体から蓋を開口して、容器本体の口部から指を入れて、必要数の粒状内容物を指で摘んで取り出して使用していた。
【発明の開示】
【発明が解決しようとする課題】
【０００３】
しかしながら、上述の広口円筒状容器の場合に、容器本体の口頸部の口径が小さい容器や容器本体の深さが深い容器では、容器本体の口部から指を入れて、粒状内容物を指で摘んで取り出しすことが難しいことがあった。また、粒状内容物を指で摘んで取り出しすときに、指が容器本体内に収納されている他の粒状内容物に触れて汚染することがあった。
【０００４】
本発明は、上述の従来の粒状内容物を収納する広口円筒状容器の問題点を解決したものであり、容器本体の口頸部に装着し、使用するために蓋部を開口したときに、所定数の物粒状内容物が指で摘み易い位置に計量されている衛生的な計量部付キャップを提供するものである。
【課題を解決するための手段】
【０００５】
すなわち、本発明の第１の発明は、容器本体の口頸部に装着するキャップ本体と該キャップ本体の上部を覆う蓋部からなるキャップであって、前記キャップ本体は、周壁と、周縁の内側に隙間を介して凹状計量収容部を設けた天板を有することを特徴とする計量部付キャップである。
【０００６】
次に、第２の発明は、前記凹状計量収容部が、天板の略中央部に設けられていることを特徴とする第１の発明に記載の計量部付キャップである。
【０００７】
次に、第３の発明は、前記凹状計量収容部が、接続リブを橋設して設けられていることを特徴とする第１または第２の発明に記載の計量部付キャップである。
【０００８】
そして、第４の発明は、前記蓋部が、凹状受け部を有することを特徴とする第１ないし第３の発明のいずれかに記載の計量部付キャップである。
【発明の効果】
【０００９】
本発明の計量部付キャップを容器本体の口頸部に装着した広口円筒状容器は、一旦、容器を下方傾斜又は倒立状態にさせると、容器本体内に収納されている粒状内容物が、キャップ本体の接続リブ間の凹状計量収容部とインナー封止リング又は蓋部係着筒の内周面との隙間を通過して、蓋部の天板の下面とキャップ本体の凹状計量収容部の上面との間の収容スペースに移動する。再度、容器を正立状態に戻すと、収容スペースに収容されていた粒状内容物が下方へ移動する。前記移動した粒状内容物のうち、所定数の粒状内容物は、凹状計量収容部に収容され、それ以外の粒状内容物は、容器本体内へ戻る。そして、蓋部を開口すると、キャップ本体の内側の開口部の所定位置に設けた凹状計量収容部に収容された所定数の粒状内容物を、指で摘んで容易に取り出すことができる。
【００１０】
また、本発明の計量部付キャップを容器本体の口頸部に装着した容器は、粒状内容物を指で摘んで取り出すときに、凹状計量収容部に収容されている所定数の粒状内容物を取り出すものであり、容器本体内に収納されている他の粒状内容物に指が触れて汚染するようなことがなく、極めて衛生的である。
【発明を実施するための最良の形態】
【００１１】
次に、本発明の計量部付キャップの実施の形態について、図を用いて詳細に説明する。
【００１２】
まず、実施形態１の計量部付キャップ（１００）の構造は、図１に示すように、胴部（２１０）が円筒状の広口円筒状容器（１０）の容器本体（２００）の口頸部に装着されるキャップであり、キャップ本体（１１０）の後方位置に、蓋部（１３０）がヒンジ部（１４０）を介して開閉可能に取り付けられている。
【００１３】
キャップ本体（１１０）の構造は、図１又は図２（ｂ）に示すように、天板（１１３）と周壁（１１１）とからなり、前記天板（１１３）は、天板の周縁内側に、外周に沿って蓋部（１３０）を係着する蓋部係着筒（１１４）を立設し、この天板（１１３）の蓋部係着筒の内側に、容器の口部内周面に外周面を密着して封止するインナー封止リング（１１５）が垂設されている。また、該インナー封止リング（１１５）の内側に、隙間（１１８）を介して、所定数の粒状内容物を収容する凹状計量収容部（１１６）が設けられている。凹状計量収容部の外周面とインナー封止リングの内周面は、周方向へ所定数の、例えば四個の接続リブ（１１７）を橋設して設けられている。そして、接続リブ間の凹状計量収容部の外周面とインナー封止リングの内周面との隙間（１１８）は、図２（ａ）に示すように、容器本体（２００）に収納する粒状内容物（２０）が通過可能な大きさに設けるものである。
【００１４】
蓋部（１３０）の構造は、図１及び図２（ｂ）に示すように、天板（１３１）と周壁（１３３）とからなり、該天板（１３１）の内面中央位置に凹状受け部（１３２）を設け、また、蓋部の周壁（１３３）の前方位置に、開閉用つまみ（１３４）を前方方向へ突設するものである。
【００１５】
そして、図２（ａ）に示すように、容器（２０）を下方傾斜又は倒立したときに、容器本体に収納された内容物（２０）は、キャップ本体（１１０）の凹状計量収容部（１１６）とインナー封止リング（１１５）との隙間（１１８）を通過して、中央位置に凹状受け部（１３２）を形成された天板（１３１）とキャップ本体（１１０）の凹状計量収容部（１１６）との間に収容され、再度、図２（ｂ）に示すように、容器（２０）を正立したときに、凹状計量収容部（１１６）に所定数の粒状内容物（２０）が収容され、これ以外の粒状内容物は、容器本体（２００）内に戻るものである。
【００１６】
なお、容器本体の口頸部に装着する方法が打栓方式によるものである場合、図２（ｂ）に示すように、キャップ本体（１１０）の周壁（１１１）の内周面に、容器本体（２００）の口頸部（２２０）に設けられた咬合リング（２２１）に咬合する咬合リング（１１２）を設け、また、蓋部（１３０）の周壁（１１１）のヒンジ（１４０）と対向する前方下端位置に開閉用つまみ（１３４）を突設するものである。また、実施形態１の粒状内容物計量キャップを作製する方法は、ポリプロピレンなどのヒンジ性をもつ熱可塑性樹脂を用いて、射出成形法によりキャップ本体とヒンジと蓋部とを一体に成形するものである。また、蓋部の開閉は、蓋部の開閉用つまみを指で摘んで行うものである。
【００１７】
次に、実施形態２の計量部付キャップ（１００）の構造は、図３に示すように、胴部（２１０）が円筒状の広口円筒状容器（１０）の容器本体（２００）の口頸部に装着されるキャップであり、キャップ本体（１１０）の後方位置に、蓋部（１３０）がヒンジ部（１４０）を介して開閉可能に取り付けられている。
【００１８】
キャップ本体（１１０）の構造は、図３又は図４（ｂ）に示すように、天板（１１３）と周壁（１１１）とからなり、該天板（１１３）は、天板の前方位置に、開口用押板収容部左側壁筒（１２４ａ）と開口用押板収容部切欠き部（１２４ｃ）と開口用押板収容部左側壁筒（１２４ｂ）からなる開口用押板収容部（１２４）を設け、前記開口用押板収容部切欠き部（１２４ｃ）の天板後方端に、内側面に蓋部（１３０）との咬合凸部（１２３）をもつ咬合支柱板（１２２）を立設し、この咬合支柱板の上端から開口用押板（１２１）を前方方向へ突設し、天板の周縁内側に、左側外周に沿う左側蓋部係着筒（１１４ａ）と左右方向直線状の後側蓋部係着筒（１１４ｃ）と右側外周に沿う右側蓋部係着筒（１１４ｂ）とからなる蓋部係着筒を立設し、この蓋部係着筒の内側を開口部（１１８）とし、後側蓋部係着筒の中央後面位置に、対向並列する左側蓋部枢着取付板（１１９ａ）と右側蓋部枢着取付板（１１９ｂ）とからなる蓋部枢着取付板を後方方向へ設け、蓋部係着筒の内側の開口部の中央位置に、所定数の粒状内容物を収容する凹状計量収容部（１１６）を、凹状計量収容部の外周面と蓋部係着筒の内周面との間に、周方向へ所定数、例えば一個の接続リブ（１１７）を橋設して設け、接続リブ間の凹状計量収容部の外周面と蓋部係着筒の内周面との隙間（１１８）を、図４（ａ）に示すように、容器本体（２００）に収納する粒状内容物（２０）が通過可能な大きさに設けるものである。
【００１９】
蓋部（１３０）の構造は、図３又は図４（ｂ）に示すように、天板（１３１）と周壁（１３３）とからなり、該天板（１３１）の前方位置に、キャップ本体（１１０）に装着するための後方へ凹状の切欠き（１３８）を設け、この切欠き（１３８）の中央位置に、外側面にキャップ本体との咬合凸部（１２６）をもつ咬合板（１３５）が垂設されている。そして、切欠き（１８３）の天板下面の左側外周縁に左側周壁（１３３ａ）および右側外周縁に右側周壁（１３３ｂ）を垂設し、また、左側周壁と後方側端に左側枢着板（１３７ａ）および右側周壁と後方側端に右側枢着板（１３７ｂ）を設けるものである。なお、ヒンジ部（１４０）は、キャップ本体の左側蓋部枢着取付板（１１９ａ）に蓋部の左側枢着板（１３７ａ）を取り付け、キャップ本体の右側蓋部枢着取付板（１１９ｂ）に蓋部の右側枢着板（１３７ｂ）を取り付けるものである。また、ヒンジ部には、蓋部がキャップ本体に閉じた状態で付勢状態になるようにバネ（１３９）などが組み込まれるものである。
【００２０】
そして、図４（ａ）に示すように、容器（２０）を下方傾斜又は倒立したときに、容器本体に収容された粒状内容物（２０）は、キャップ本体（１１０）の凹状計量収容部（１１６）と蓋部係着筒との隙間を通過して、蓋部（１３０）の天板（１３１）とキャップ本体（１１０）の凹状計量収容部（１１６）との間に収容され、再度、図４（ｂ）に示すように、容器（２０）を正立したときに、凹状計量収容部（１１６）に所定数の粒状内容物（２０）が収容され、これ以外の粒状内容物は、容器本体（２００）内に戻るものである。
【００２１】
なお、容器本体の口頸部に装着する方法が打栓方式による場合、図４（ｂ）に示すように、キャップ本体（１１０）の周壁（１１１）の内周面に、容器本体（２００）の口頸部（２２０）に設けられた咬合リング（２２１）に咬合する咬合リング（１１２）を設けるものである。そして、実施形態２の計量部付キャップを作製する方法は、ポリプロピレンやポリエチレンなどの熱可塑性樹脂を用いて、射出成形法によりキャップ本体とヒンジと蓋部とを一体に成形するものである。蓋部（１３０）を開くときには、図３に示すキャップ本体（１１０）の開口用押板（１２１）を指で押して、図４（ｂ）に示すキャップ本体（１１０）の咬合支柱板（１２２）の咬合凸部（１２３）と蓋部（１３０）の咬合板（１３５）の咬合凸部（１３６）との咬合を外すと、ヒンジ部に組み込まれている付勢状態のバネ（１３９）などによって自動的に開口するものである。蓋部を閉じるときには、蓋部の上面を指で押して、蓋部の咬合板の咬合凸部をキャップ本体の咬合支柱板の咬合凸部を咬合させるものである。
【００２２】
なお、前記具体例は、円筒形について説明したが、四角筒等の多角形でもよい。また、凹状計量収容部は、略中央部に設けることが好ましいが、必ずしも中央部でなく、周壁に片寄った位置に設けてもよい。さらに、蓋部は、ヒンジ部でキャップ本体に一体に取り付けられているが、開閉操作上好ましいが、必ずしも一体化されなくともよい。
【図面の簡単な説明】
【００２３】
【図１】容器本体に装着した本発明の一実施形態の計量部付キャップの蓋部が開いた状態の斜視図である。
【図２】（ａ）は、図１に示す容器を倒立したときの粒状内容物の挙動を示す説明図であり、（ｂ）は、容器を一旦倒立したのち正立したときの計量されて粒状内容物が凹状計量収容部に収容された状態を示す説明図である。
【図３】容器本体に装着した本発明の他の一実施形態の計量部付キャップの蓋部が開いた状態の斜視図である。
【図４】（ａ）は、図３に示す容器を倒立したときの粒状内容物の挙動を示す説明図であり、（ｂ）は、容器を一旦倒立したのち正立したときに、粒状内容物が計量されて凹状計量収容部に収容されたときの状態を示す説明図である。
【符号の説明】
【００２４】
１０……容器
２０……内容物
１００……キャップ
１１０……キャップ本体
１１１，１３３……周壁
１１２，２２１……咬合リング
１１３，１３１……天板
１１４……蓋部係着筒
１１４ａ……左側蓋部係着筒
１１４ｂ……右側蓋部係着筒
１１４ｃ……後側蓋部係着筒
１１５……インナー封止リング
１１６……凹状計量収容部
１１７……接続リブ
１１８……隙間
１１９ａ……左側蓋部枢着取付板
１１９ｂ……右側蓋部枢着取付板
１２１……開口用押板
１２２……咬合支柱板
１２３，１３６……咬合凸部
１２４……開口用押板収容部
１２４ａ……開口用押板収容部左側壁筒
１２４ｂ……開口用押板収容部右側壁筒
１２４ｃ……開口用押板収容部切欠き部
１３０……蓋部
１３２……凹状受け部
１３３ａ……左側周壁
１３３ｂ……右側周壁
１３４……開閉用つまみ
１３５……咬合板
１３７ａ……左側枢着板
１３７ｂ……右側枢着板
１３８……切欠き
１３９……バネ
１４０……ヒンジ部
２００……容器本体
２１０……胴部
２２０……口頸部
【図１】
2008062978.tif 000003
【図２】
2008062978.tif 000004
【図３】
2008062978.tif 000005
【図４】
2008062978.tif 000006